(57)【要約】      （修正有）【課題】弦楽器演奏時における弦からの反発力を、力学的に有利な方法で親指に伝達し、それをまた摩擦力のみに依存せず、親指の力で支えられる構造の弦楽器演奏用器具を提供する。【解決手段】弦楽器演奏用器具は、親指の腹側に位置する平坦部１と、前後２つのリング４、５を持っており、必要に応じて、平坦部と一体に形成された演奏用ピック部２を設けるか、市販のフラットピックを演奏用ピック部の代用として一緒に用いる。本器具を親指に装着して爪側正面から見たとき、前後リングは親指中心線上で平坦部と連結されている。さらに、前リング４は、アームを介して親指爪側を支点に保持されており、後リング５は、親指第一関節付近で、親指の腹側を支点に保持されている。【効果】この構造により、弦楽器演奏時に弦から受ける反発力を、一方向に回転する力から、親指を両側面から挟み込む力へと変換する効果を生じさせる。【選択図】図１
2020060672.tif 000002
【特許請求の範囲】
【請求項１】
親指装着時に親指の腹側に位置する平坦部と、親指に装着する為の少なくとも２つの独立したリングを持ち、そのうち1つは親指爪側が支点となるようにアームを介して前記平坦部に保持され、別の１つは親指腹側が支点となるように前記平坦部に連結かつ保持された、弦楽器演奏用器具。
【請求項２】
前記平坦部は、一体に形成された演奏用ピック部を有する、請求項１に記載の弦楽器演奏用器具。
【発明の詳細な説明】
【技術分野】
【０００１】
本発明は、ギター等に代表される弦楽器を演奏する際に、親指に装着して使用するサムピック、あるいは市販のフラットピックを親指と一体に装着しサムピックとして機能させる部材に関する。
【背景技術】
【０００２】
従来のサムピックは、細長い部材の一端を演奏用ピック部とし、他方を屈曲させて親指に巻き付けるように固定する部位を形成するシンプルなものであった。
【０００３】
しかしながらこのようなサムピックでは、弦からの反発力が、親指に装着したサムピックそのものを回転させる方向に働く。そのため、固定する力が弱ければ演奏が困難になり、逆に強過ぎれば装着した部分に痛みが生じる等の問題があった。
【０００４】
こうした問題に対応するため、親指に固定する部位に柔軟性のある素材や摩擦係数の大きな素材を用いたり、サイズを調節出来る機能を付加したサムピックが、特許文献１あるいは特許文献２によって示されている。
【０００５】
また、特許文献３で示されたものは、それ単体ではサムピックとして弦を弾く機構を有さないが、伸縮性のあるバンドを用いて、市販のフラットピックを親指と一体に装着して使用する発明である。故にサムピックに類似したものとして捉えることが出来る。
【先行技術文献】
【特許文献】
【０００６】
【特許文献１】特開２００４−３５４８３９号公報
【特許文献２】特開２００７−３６６５号公報
【特許文献３】特開２００８−３１００１１号公報
【発明の概要】
【発明が解決しようとする課題】
【０００７】
特許文献１〜３に記載されたサムピック、あるいはサムピックに類似したもの（以降、併せてサムピックと呼称）は、従来のサムピックが持っていた問題点に対処し、一定の効果をあげていると考えられる。しかしながらこれらは、演奏用ピック部を固定するバンド部が、親指の両側面で連結されるという共通の構造を持っている。そのため親指側面に位置する演奏用ピック部からの力が、サムピックそのものを回転させる方向に、力学的に増幅されて伝わり、それを親指外周部とサムピック間の摩擦力で支える状況を生じる。これは明らかに構造上の不利な状況だといえる。
【０００８】
従って本発明の目的は、演奏時に弦より受ける反発力を、力学的に有利な方法で親指に伝達し、それをまた摩擦力という自らの意思で自在に制御出来ない力のみに拠らず支える事で、より長時間の使用に耐え、自分の指先との自然な一体感を得られる弦楽器演奏用器具を提供することである。
【課題を解決するための手段】
【０００９】
本発明の一実施の形態による弦楽器演奏用器具は、親指9の腹に密着する平坦部1と、その指先側から伸びたアーム3の先端に連結された前リング4、さらに平坦部1の親指付け根側、おおよそ親指第一関節付近に連結された後リング5とで構成される。
【００１０】
本発明の一実施の形態による弦楽器演奏用器具を親指9に装着し爪側から見たとき、平坦部1と前リング4をつなぐアーム3は、親指9の中心線上に位置し、親指9の先端を通って爪側に屈曲して前リング4を支持している。また平坦部1と後リング5の連結点も親指中心線上に位置している。
【００１１】
本発明の一実施の形態による弦楽器演奏用器具単体でサムピックとする際には、平坦部1の少なくとも片側側面を伸展し、演奏用ピック部2を設けるものとする。また、市販のフラットピック10を用いる際には、平坦部1と親指9の間に挟んで装着し、演奏用ピック部2の代用とする。
【発明の効果】
【００１２】
まず親指の爪側を上と定義し、同様に親指の腹側を下と定義する。
また、本発明の一実施の形態による弦楽器演奏用器具を親指に装着して上から下へ弦楽器の弦を弾く動作をダウンピッキングと呼称し、逆向きの動作をアップピッキングと呼称する。
【００１３】
ダウンピッキングを親指9の付け根から先端方向に見た時(図5・図6参照)、演奏用ピック部2に掛かる上向きの反発力12は、前リング支点7と後リング支点8を中心に、それぞれが時計回り方向への力(13・14)に変換される。しかし前リング支点7は親指上側にあり、他方 後リング支点8は親指下側ある。そのためサムピック全体としては時計回り方向への力にも関わらず、親指9への力は、親指9を両側面から挟み付ける力へと変換されている。これにより親指表面の摩擦力に頼らず、親指本来の力で支える事が可能となっている。またこの時、前記 演奏用ピック部2に掛かる上向きの反発力12は、前・後2つのリングへと分散されたうえ、親指9の中心と前・後リング支点7・8との位置関係により、てこの原理も働くため、より小さな力で支える事が可能となっている。
【００１４】
また、アップピッキングにおいても、それぞれの力の向きは反転するが同様の効果が得られる。
【図面の簡単な説明】
【００１５】
【図１】本発明単体でサムピックとする際の一実施例を示す平面図である。
【図２】本発明単体でサムピックとする際の一実施例を示す装着状態の側面図である。
【図３】本発明単体でサムピックとする際の一実施例を示す装着状態の斜視図である。
【図４】本発明の、市販フラットピックと一体に使用する一実施例の正面図である。
【図５】本発明でのダウンピッキングを親指の付け根から先端方向に見た時、前リングにおける力学的特性を表した模式図である。
【図６】本発明でのダウンピッキングを親指の付け根から先端方向に見た時、後リングにおける力学的特性を表した模式図である。
【図７】本発明を一続きの板材から切り出して形成する際の、屈曲加工前部材の一実施例である。
【発明を実施するための形態】
【００１６】
図１は、本発明の一実施の形態によるサムピックの平面図である。
図２は親指装着時の側面図であり、図3は同様に親指装着時の斜視図である。
図1〜3で示した本発明の一実施例は、親指９の第１関節より先端部に装着して使用するものであり、平坦部１、アーム３、前リング４、及び後リング５を有し、必要に応じて演奏用ピック部2を有する。
図１は、このサムピックを装着する親指９の爪側（図２の右側）からサムピックを見た図である。
【００１７】
図1〜3で示した一実施例では、平坦部１、演奏用ピック部2、アーム３、前リング４、及び後リング５は、一枚の板材から切り出した部材（図7参照）を屈曲させ、一体的に連結した形態で形成されている。すなわち親指９の腹側に沿っている平坦部1の指先側には、アーム３を介して、親指9の爪側の前リング支点7にて前リング4と連結され、平坦部1の指根元側の後リング支点8にて後リング5が連結されている。
この時、前リング４と後リング５は、正面から見たとき親指の中心線上で平坦部１と連結している。
【００１８】
図1〜3で示した一実施例において前リング4・後リング5の主たる働きは、親指9を強く締め付ける事ではなく、親指9に密着して平坦部１と親指9の位置関係を一定に保つ事である。その為、前リング4は、指先部分を覆うように湾曲した帯状の部材であるが、親指9の腹側に開口部を持ち、扁平した略C字型の断面をしている。またその直径は、指の先端に近づくほど幾分細くなっている。
後リング５は、平坦部１の指根元側に連結した帯状の部材を湾曲して、親指９の第１関節の付近に巻き付くように形成されている。さらに、親指9の指先の反りにフィットさせるため、指根元側から指先に向かい傾斜がついている（図2参照）。また後リング5は、前リング4と異なり、親指９を一周して爪側で重なり合い、後リング重複部6を形成している。
【００１９】
本発明単体でサムピックとする際の実施例を示した図１〜3において、演奏用ピック部２は平坦部１と一体に、側面から張り出すように形成された部位を指し、少なくとも1ケ所形成されている。また演奏用突出部2を一体に形成するため、素材は 樹脂・亀甲・金属等、演奏用ピックに適した素材から適宜選択する。
【００２０】
図4は、市販のフラットピック10を、平坦部1と親指9の間に挟んで装着し、演奏用ピック部2の代用として一体に使用することで、サムピックとして使用する一実施例を示したものである。この時、平坦部１の側面に演奏用ピック部2を設けない為に、平坦部1が親指側面から突出しない程度の大きさと形状になる以外は、図１〜3で示したものと同一とする。
【００２１】
演奏用ピック部2を設ける場合、図１のように親指の両側面に形成する事で、右利き・左利き両用とする事が出来るが、どちらか一方としても構わない。また演奏用ピック部2の形状は、造形上の制約が少ないため、市販フラットピックと同様に様々な形状をとることが可能であり、略三角形・ティアドロップ形・円形等、その形やさらに先端の向き・大きさを変えることにより、幅広い演奏スタイルへ対応可能となる。
【００２２】
図4の様に、市販フラットピック10を用いる場合は、平坦部１の親指側の面に何らかのすべり止めを施す事も可能である。
【符号の説明】
【００２３】
１  平坦部
２  演奏用ピック部
３  アーム
４  前リング
５  後リング
６  後リング重複部
７  前リング支点
８  後リング支点
９  親指装着イメージ
１０  市販フラットピック使用イメージ
１１  弦
１２  反発力
１３  前リング中心に掛かる力
１４  後リング中心に掛かる力
【図１】
2020060672.tif 000003
【図２】
2020060672.tif 000004
【図３】
2020060672.tif 000005
【図４】
2020060672.tif 000006
【図５】
2020060672.tif 000007
【図６】
2020060672.tif 000008
【図７】
2020060672.tif 000009